(57)【要約】【課題】倒伏時に車両等の通行に起因する上部水密ゴムの損傷を防止しつつ、扉体の上部水密を確保すること。【解決手段】起伏ゲート１は、基端側を中心に回動して起立する扉体１０と、扉体１０の幅方向両端部に取り付けられ、側部戸当り２１と接する側部水密ゴム３０と、上部戸当り２２に取り付けられ、扉体１０が起立した際に、扉体１０の倒伏時の上面１１と同じ平面上に位置する扉体１０の先端１４が接する上部水密ゴム４０とを備える。側部水密ゴム３０は、扉体１０の先端１４の位置まで取り付けられ、扉体１０の先端１４側の端部が、上面１１と面一となるように取り付けられており、上部水密ゴム４０の扉体１０の幅方向における両端部は、扉体１０が起立した際に、側部水密ゴム３０における扉体１０の先端１４側の端部３４と接するように構成されている。【選択図】図３
2020029713.tif 000002
【特許請求の範囲】
【請求項１】
基端側を中心に回動して起立する扉体と、
側部戸当りおよび上部戸当りと、
前記扉体の幅方向両端部に取り付けられ、前記側部戸当りと接する側部水密ゴムと、
前記上部戸当りに取り付けられ、前記扉体が起立した際に、前記扉体の倒伏時の上面と同じ平面上に位置する前記扉体の先端が接する上部水密ゴムとを備え、
前記側部水密ゴムは、前記扉体の先端の位置まで取り付けられると共に、前記扉体の先端側の端部が、前記上面と面一となるように取り付けられており、
前記上部水密ゴムの前記扉体の幅方向における両端部は、前記扉体が起立した際に、前記側部水密ゴムにおける前記扉体の先端側の端部と接するように構成されている
ことを特徴とする起伏ゲート。
【請求項２】
請求項１に記載の起伏ゲートにおいて、
前記扉体の上面には、前記側部水密ゴムにおける前記扉体の先端側の端部が、前記上面と面一となるように取り付けられる凹んだ段差部が設けられている
ことを特徴とする起伏ゲート。
【請求項３】
請求項１または２に記載の起伏ゲートにおいて、
前記側部水密ゴムにおける前記扉体の先端側の端部は、平板状に形成されている
ことを特徴とする起伏ゲート。
【発明の詳細な説明】
【技術分野】
【０００１】
本願は、起伏ゲートに関する。
【背景技術】
【０００２】
従来より、洪水や津波による浸水を防止するための起伏ゲートが知られている。例えば特許文献１に開示の起伏ゲートは、浸水時に水の浮力によって起立する扉体を備えている。そして、起立時の扉体の高さは、想定される水位よりも高くなるように設計されている。つまり、この起伏ゲートでは、扉体の両側部および底部の３方に水密ゴムを設ける方式（３方水密方式）が採用されている。
【先行技術文献】
【特許文献】
【０００３】
【特許文献１】特開２０１２−２４１４４９号公報
【発明の概要】
【発明が解決しようとする課題】
【０００４】
一方、地域によっては、大津波を想定した防潮堤の建設が計画されている。このような防潮堤を建設した場合、防潮堤の内外を行き来したいという要望がある。このような要望に対し、防潮堤の一部に車両等が通行可能な開口部を設け、その開口部に起伏ゲートを設置することが考えられる。その場合、水密構造として、扉体の両側部、底部および上部の４方を水密する方式（４方水密方式）を採用する必要がある。しかしながら、倒伏時には扉体の上面を車両が通行するような起伏ゲートにおいては、扉体の上部に水密ゴムを設けると、車両の通行によって扉体上部の水密ゴムが損傷する虞がある。
【０００５】
本願に開示の技術は、かかる事情に鑑みてなされたものであり、その目的は、倒伏時に車両等の通行に起因する上部水密ゴムの損傷を防止しつつ、扉体の上部水密を確保することができる起伏ゲートを提供することにある。
【課題を解決するための手段】
【０００６】
本願の起伏ゲートは、扉体と、側部戸当りおよび上部戸当りと、側部水密ゴムと、上部水密ゴムとを備えている。前記扉体は、基端側を中心に回動して起立するものである。前記側部水密ゴムは、前記扉体の幅方向両端部に取り付けられ、前記側部戸当りと接するものである。前記上部水密ゴムは、前記上部戸当りに取り付けられ、前記扉体が起立した際に、前記扉体の倒伏時の上面と同じ平面上に位置する前記扉体の先端が接するものである。
【０００７】
そして、前記側部水密ゴムは、前記扉体の先端の位置まで取り付けられると共に、前記扉体の先端側の端部が、前記上面と面一となるように取り付けられている。前記上部水密ゴムの前記扉体の幅方向における両端部は、前記扉体が起立した際に、前記側部水密ゴムにおける前記扉体の先端側の端部と接するように構成されている。
【発明の効果】
【０００８】
本願の起伏ゲートによれば、倒伏時に車両等の通行に起因する上部水密ゴムの損傷を防止しつつ、扉体の上部水密を確保することができる。
【図面の簡単な説明】
【０００９】
【図１】図１は、実施形態に係る起伏ゲートの倒伏時の概略構成を上流側から視て示す図である。
【図２】図２は、実施形態に係る起伏ゲートの起立時の概略構成を示す断面図である。
【図３】図３は、倒伏時の扉体および側部水密ゴムを側方から視て示す図である。
【図４】図４は、倒伏時の扉体の側部および側部水密ゴムを示す平面図である。
【図５】図５は、図３および図４に示すＡ−Ａ線に沿った断面図である。
【図６】図６は、図３および図４に示すＢ−Ｂ線に沿った断面図である。
【図７】図７は、図３および図４に示すＣ−Ｃ線に沿った断面図である。
【図８】図８は、図３および図４に示す図を扉体の先端側から視て示す図である。
【図９】図９は、起立時の扉体の先端と上部水密ゴムとの接触状態を示す断面図である。
【図１０】図１０は、上部水密ゴムの要部を下方から視て示す斜視図である。
【図１１】図１１は、起立時の側部水密ゴムと上部水密ゴムとの接触状態を上方から視て示す斜視図である。
【発明を実施するための形態】
【００１０】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１１】
本実施形態の起伏ゲート１は、例えば防潮堤に設けられたトンネル状の開口部の路面Ｒに設置され、津波による水の浸入を防止するものである。上記開口部は、略矩形に形成され、防潮堤の内外を車両等が行き来するためのものである。起伏ゲート１は、浸入しようとする水を利用して自動的に起立動作および倒伏動作を行う、浮体式の起伏ゲートである。
【００１２】
図１および図２に示すように、起伏ゲート１は、扉体１０と、戸当り（側部戸当り２１、上部戸当り２２）と、格納部２３と、水密ゴム（側部水密ゴム３０、底部水密ゴム（図示省略）、上部水密ゴム４０）とを備えている。なお、図２において水は右側から浸入するものとする。また、以降で記載する「上流側」および「下流側」とは、水の浸入方向における上流側（図２において右側）および下流側（図２において左側）を意図する。
【００１３】
扉体１０は、やや扁平な略矩形体に形成されており、基端側を中心に回動して起立する。具体的に、扉体１０は、基端側に回動軸１３を有しており、回動軸１３を中心として回動自在に設けられている。扉体１０は、図２において左回りに回動することで起立動作を行い、図２において右回りに回動することで倒伏動作を行う。扉体１０は、通常時は倒伏した状態（図１に示す状態）になっており、非常時（即ち、水が浸入してきたとき）には浸入水の浮力によって倒伏状態から回動し起立するように構成されている。つまり、扉体１０は浸入水を利用して起立動作を開始する。
【００１４】
格納部２３は、路面Ｒに凹状に形成されている。格納部２３は、平面視で扉体１０よりも大きい矩形に形成されており、倒伏した扉体１０が格納される。扉体１０が格納部２３に格納された状態、即ち扉体１０が倒伏した状態では、扉体１０（本体１１）の上面１１と路面Ｒとが略面一となる。また、扉体１０は、基端側が下流側に位置し先端１４が上流側に位置した状態で格納される。通常時は、路面Ｒを通行する車両や人は扉体１０の上面１１を通行することになる。本願の請求項に係る「扉体の上面」とは、倒伏時（倒伏状態）の扉体１０の上面１１を意図する。扉体１０の上面１１は、略平坦な面である。
【００１５】
側部戸当り２１は、扉体１０の両側方、即ち上述した開口部の左右の側壁に設けられている。上部戸当り２２は、扉体１０の上方、即ち開口部の天井壁に設けられている。側部戸当り２１は鉛直方向に延びており、上部戸当り２２は水平方向（即ち、図１における左右方向、扉体１０の幅方向）に延びている。
【００１６】
水密ゴム（側部水密ゴム３０、底部水密ゴム３８、上部水密ゴム４０）は、扉体１０と戸当りとの間を水密する。
【００１７】
図３および図４にも示すように、側部水密ゴム３０は、扉体１０の倒伏時の上面１１における扉体１０の幅方向両端部に取り付けられている。側部水密ゴム３０は、扉体１０の上面１１において幅方向と直交する方向（以下、高さ方向とも言う。）における略全域に取り付けられている。つまり、側部水密ゴム３０は、扉体１０の基端側から先端１４の位置まで取り付けられている。側部水密ゴム３０は、上から押さえ板３５によって扉体１０の上面１１に押し付けられている。側部水密ゴム３０は、扉体１０の幅方向両端から突出して設けられ、側部戸当り２１と接する（図５等参照）。
【００１８】
側部水密ゴム３０は、扉体１０の高さ方向の位置によって、断面形状（扉体１０の幅方向に切断した断面形状）が異なる。さらに、側部水密ゴム３０は、扉体１０の高さ方向における扉体１０の先端１４側の端部が、扉体１０の上面１１と面一となるように取り付けられている。
【００１９】
具体的に、側部水密ゴム３０は、湾曲部３２と平部３３からなっている。なお、湾曲部３２および平部３３は互いに連続して形成されている。側部水密ゴム３０は、扉体１０の高さ方向において５つの区間Ｗ１〜Ｗ５に区分される。湾曲部３２は区間Ｗ１〜Ｗ４に位置し、平部３３は区間Ｗ５に位置している。なお、ここでは、側部水密ゴム３０のうち基端側に位置する底部水密ゴムとの取り合い部分については説明を省略する。
【００２０】
平部３３は、断面形状が厚さ一定の平板状に形成されている（図７参照）。ただし、平部３３は、側部戸当り２１と接する先端が凸型の円弧状に形成されている。湾曲部３２は、側部戸当り２１と接する先端部が湾曲している（図５等参照）。湾曲部３２は、外見上、板状部材を折り曲げたような形状となっており、例えば型枠成形によって製作される。
【００２１】
図５に示すように、区間Ｗ１では、扉体１０の上面１１に、順に、湾曲部３２（側部水密ゴム３０）および押さえ板３５が設けられている。そして、湾曲部３２は側部戸当り２１と接するようになっている。図６〜図８に示すように、区間Ｗ３〜Ｗ５では、扉体１０の上面１１における扉体１０の幅方向両端部に凹んだ段差部１５が設けられている。つまり、扉体１０の上面１１において側部水密ゴム３０が取り付けられる部分が凹んでいる。区間Ｗ３〜Ｗ５では、段差部１５の深さは一定である。なお、区間Ｗ２は、扉体１０の先端１４側へいくに従って段差部１５の深さが大きくなる区間である。
【００２２】
図６に示すように、区間Ｗ３では、扉体１０の段差部１５に湾曲部３２（側部水密ゴム３０）が取り付けられ、その上に押さえ板３５が設けられている。湾曲部３２は、段差部１５に取り付けられた部分が扉体１０の上面１１と面一となっている。区間Ｗ４の湾曲部３２では、先端部の大きさが、扉体１０の先端１４側にいくに従って小さくなり、平部３３と繋がる。
【００２３】
図７および図８に示すように、区間Ｗ５では、扉体１０の段差部１５に平部３３（側部水密ゴム３０）が取り付けられ、その上に押さえ板３５が設けられている。平部３３は、上面が扉体１０の上面１１と面一となっている。こうして、側部水密ゴム３０における扉体１０の先端１４側の端部（平部３３）が、扉体１０の上面１１と面一となるように取り付けられる。また、側部水密ゴム３０は、扉体１０の先端１４側の端部（平部３３）以外の少なくとも一部が、扉体１０の上面１１に取り付けられる。
【００２４】
上部水密ゴム４０は、上部戸当り２２の下面に取り付けられており、扉体１０の幅方向に延びている。上部水密ゴム４０は、扉体１０の幅方向における両端部がゴム接触部４２となっており、その間の部分が扉体接触部４１となっている。
【００２５】
図９〜図１１に示すように、扉体接触部４１は、凸型に形成されており、上下流方向両側が押さえ板４５，４６によって固定されている。扉体接触部４１は、扉体１０が起立した際に、扉体１０の先端１４が接する部分である。扉体１０の先端１４は、扉体１０の上面１１と同じ平面上に位置している。ゴム接触部４２は、扉体１０が起立した際に、側部水密ゴム３０における扉体１０の先端１４側の端部３４（平部３３の端部３４）と接する部分である。
【００２６】
図１０に示すように、上部水密ゴム４０では、扉体１０の先端１４と側部水密ゴム３０（平部３３）の端部３４が接する部分は、連続する一つの水密ラインＸとして形成される。具体的に、水密ラインＸのうち扉体接触部４１に形成される第１部分４１ａは、扉体１０の先端１４が接する部分であり、直線状に形成される。水密ラインＸのうちゴム接触部４２に形成される第２部分４２ａは、側部水密ゴム３０（平部３３）の端部３４のうち第１部分３４ａが接する部分であり、第１部分３４ａと同様、直線状に形成される。また、水密ラインＸのうちゴム接触部４２に形成される第３部分４２ｂは、側部水密ゴム３０（平部３３）の端部３４のうち第２部分３４ｂが接する部分であり、第２部分３４ｂの変形に合わせて湾曲状に形成される。なお、ゴム接触部４２における部分４２ｃは、押さえ板３５の斜面３５ａが接する部分である。また、水密ラインＹは、側部水密ゴム３０が側部戸当り２１と接する部分であり、上述した水密ラインＸの第３部分４２ｂに連続しており、水密ラインＸと共に連続する一つの水密ラインを形成している。
【００２７】
以上のように、上記実施形態の起伏ゲート１では、扉体１０の幅方向両端部に取り付けられる側部水密ゴム３０と、上部戸当り２２に取り付けられ、扉体１０が起立した際に、扉体１０の上面１１と同じ平面上に位置する扉体１０の先端１４が接する上部水密ゴムとを備えている。そして、側部水密ゴム３０は、扉体１０の先端１４の位置まで取り付けられると共に、扉体１０の高さ方向における扉体１０の先端１４側の端部（平部３３）が、扉体１０の上面１１と面一となるように取り付けられている。さらに、上部水密ゴム４０のゴム接触部４２は、扉体１０が起立した際に、側部水密ゴム３０の端部３４と接するように構成されている。
【００２８】
上記の構成によれば、上部水密ゴム４０が扉体１０ではなく上部戸当り２２に設けられているため、扉体１０の倒伏時において車両等の通行に起因する上部水密ゴム４０の損傷を防止することができる。また、上記の構成によれば、上部水密ゴム４０において、扉体１０の先端１４と側部水密ゴム３０（平部３３）の端部３４が接する部分が連続する一つの水密ラインＸとして形成することができる。したがって、上部水密を十分に確保することができる。
【００２９】
また、上記実施形態の起伏ゲート１では、扉体１０の上面１１に、側部水密ゴム３０における扉体１０の先端１４側の端部（平部３３）が、扉体１０の上面１１と面一となるように取り付けられる凹んだ段差部１５を設けている。そのため、簡易な構成で、上部水密を確保することができる。
【００３０】
また、上記実施形態の起伏ゲート１によれば、側部水密ゴム３０における扉体１０の先端１４側の端部（平部３３）は平板状に形成されている。そのため、上述した連続する一つの水密ラインＸを容易に形成することができる。
【産業上の利用可能性】
【００３１】
以上のように、本願に開示の技術は、起伏ゲートについて有用である。
【符号の説明】
【００３２】
１        起伏ゲート
１０      扉体
１１      上面
１４      先端
１５      段差部
２１      側部戸当り
２２      上部戸当り
３０      側部水密ゴム
３３      平部（側部水密ゴム）
３４      端部
４１      扉体接触部（上部水密ゴム）
４２      ゴム接触部（上部水密ゴム）
【図１】
2020029713.tif 000003
【図２】
2020029713.tif 000004
【図３】
2020029713.tif 000005
【図４】
2020029713.tif 000006
【図５】
2020029713.tif 000007
【図６】
2020029713.tif 000008
【図７】
2020029713.tif 000009
【図８】
2020029713.tif 000010
【図９】
2020029713.tif 000011
【図１０】
2020029713.tif 000012
【図１１】
2020029713.tif 000013